(57)【要約】      （修正有）【課題】様々なタイプのＩＣカード等から確実かつ容易に情報を読み取れるようにする及びＩＣカード等の情報を確実かつ容易に携帯端末で読み取れるようにするブースターアンテナ及び携帯端末スタンドを提供する。【解決手段】ブースターアンテナは、円形状に２回巻回した内側コイル１と、内側コイル１の外側を囲むとともに長方形状に２回巻回した外側コイル２と、円形状に４回巻回した端末側コイル３を備える。内側コイルの一端４と外側コイルの一端５は電気的に接続され、内側コイル１の直径は外側コイル２の短辺の９３％以上であり、内側コイルの他端６と端末側コイルの一端７を電気的に接続するとともに外側コイルの他端８と端末側コイルの他端９を電気的に接続する接続コード１０を有する。【選択図】図１
2018064180.tif 000002
【特許請求の範囲】
【請求項１】
円形、楕円形又は多角形状にｍ回（ｍは自然数）巻回した内側コイルと、
該内側コイルの外側を囲むとともに平行四辺形状にｎ回（ｎは自然数）巻回した外側コイルと、
円形、楕円形又は多角形状にｍ＋ｎ回巻回した端末側コイルを備え、
前記内側コイルの一端と前記外側コイルの一端は電気的に接続され、
前記内側コイルの他端と前記端末側コイルの一端を電気的に接続するとともに前記外側コイルの他端と前記端末側コイルの他端を電気的に接続する接続コードを有している
ことを特徴とするブースターアンテナ。
【請求項２】
円形、楕円形又は多角形状にｍ回（ｍは自然数）巻回した内側コイルと、
該内側コイルの外側を囲むとともに平行四辺形状にｎ回（ｎは自然数）巻回した外側コイルと、
円形、楕円形又は多角形状にｍ回巻回した第１の端末側コイルと、
円形、楕円形又は多角形状にｎ回巻回した第２の端末側コイルを備え、
前記内側コイルの一端と前記第１の端末側コイルの一端を電気的に接続するとともに前記内側コイルの他端と前記第１の端末側コイルの他端を電気的に接続する第１の接続コードと、
前記外側コイルの一端と前記第２の端末側コイルの一端を電気的に接続するとともに前記外側コイルの他端と前記第２の端末側コイルの他端を電気的に接続する第２の接続コードを有している
ことを特徴とするブースターアンテナ。
【請求項３】
前記内側コイルに外接する円の直径は前記外側コイルにおける長辺間の距離の６２％以上１５０％以内である
ことを特徴とする請求項１又は２に記載のブースターアンテナ。
【請求項４】
前記内側コイル及び前記外側コイルを収納する直方体形状のケース体と、前記端末側コイルを収納する直方体形状のカード体とを有する
ことを特徴とする請求項１ないし３のいずれかに記載のブースターアンテナ。
【請求項５】
前記ケース体の底面側及び前記カード体の下面側のいずれか一方にシート状の電磁シールド体が設けてある
ことを特徴とする請求項４に記載のブースターアンテナ。
【請求項６】
請求項１ないし５のいずれかに記載のブースターアンテナと、
携帯端末を保持する部分及び前記携帯端末を保持させた時、前記携帯端末の非接触型通信部と近接する箇所に前記端末側コイルを保持する部分を有する保持スタンドを備える
ことを特徴とする携帯端末スタンド。
【請求項７】
請求項１ないし４のいずれかに記載のブースターアンテナと、
携帯端末を保持する部分及び前記携帯端末を保持させた時、前記携帯端末の非接触型通信部と近接する箇所に前記端末側コイルを保持する部分を有する保持スタンドを備え、
該保持スタンドの前記端末側コイルを保持する部分の一部又は全部に、シート状の電磁シールド体が貼着されている
ことを特徴とする携帯端末スタンド。
【発明の詳細な説明】
【技術分野】
【０００１】
この発明は、読み取り装置によってＩＣカードやＲＦＩＤタグ等（以下「ＩＣカード等」という。）からＩＤ情報やコード情報等を読み取るに際して、ＩＣカード等を直接読み取り装置に近接させなくても良くするためのブースターアンテナに関するものである。
また、スマートフォン、タブレット端末等の携帯端末が有している情報読み取り用のアンテナを介してＩＣカード等からＩＤ情報やコード情報等を読み取る場合に、そのブースターアンテナを用いることでより確実に読み取れるようにするための携帯端末スタンドに関するものでもある。
【背景技術】
【０００２】
従来、特許文献１（特許第４０５８３００号公報）に記載されるように、外部装置（リーダライタ）とＩＣカードモジュールのアンテナコイルとの通信距離を伸ばすための、アンテナコイル３２Ａと３２Ｂを有するブースターコイルが知られている。
【先行技術文献】
【特許文献】
【０００３】
【特許文献１】特許第４０５８３００号公報
【発明の概要】
【発明が解決しようとする課題】
【０００４】
しかし、特許文献１のブースターコイル（３）は、携帯電話端末（１）に固定的に設けられているＩＣカードモジュールのアンテナコイル（４２）と外部装置のアンテナコイル（５１）との通信距離を伸ばすものであり、様々な形態や大きさのＩＣカード等に対応しようとするものではない。
そして、単純に２つのアンテナコイルを有するブースターコイルを用いても、ＩＣカード等には様々な大きさのものがあるため、一方のアンテナコイルとＩＣカード等との位置関係によって読み取り精度が変化し、ＩＣカード等から情報を読み取ることができたりできなかったりするという問題があった。
さらに、携帯端末によってＩＣカード等の情報を読み取る場合、携帯端末における情報読み取り用のアンテナがある位置の近傍に他方のアンテナコイルを位置させる必要があるが、アンテナがある位置は携帯端末の種類や機種により異なっているため、他方のアンテナコイルを正確な位置に保持するためには、携帯端末のアンテナ位置がどこにあるかを把握する必要があった。
本発明は、様々なタイプのＩＣカード等から確実に情報を読み取れるようにすること、及びＩＣカード等の情報を確実かつ容易に携帯端末で読み取れるようにすることを目的とする。
【課題を解決するための手段】
【０００５】
請求項１に係る発明のブースターアンテナは、円形、楕円形又は多角形状にｍ回（ｍは自然数）巻回した内側コイルと、該内側コイルの外側を囲むとともに平行四辺形状にｎ回（ｎは自然数）巻回した外側コイルと、円形、楕円形又は多角形状にｍ＋ｎ回巻回した端末側コイルを備え、前記内側コイルの一端と前記外側コイルの一端は電気的に接続され、前記内側コイルの他端と前記端末側コイルの一端を電気的に接続するとともに前記外側コイルの他端と前記端末側コイルの他端を電気的に接続する接続コードを有していることを特徴とする。
【０００６】
請求項２に係る発明のブースターアンテナは、円形、楕円形又は多角形状にｍ回（ｍは自然数）巻回した内側コイルと、該内側コイルの外側を囲むとともに平行四辺形状にｎ回（ｎは自然数）巻回した外側コイルと、円形、楕円形又は多角形状にｍ回巻回した第１の端末側コイルと、円形、楕円形又は多角形状にｎ回巻回した第２の端末側コイルを備え、前記内側コイルの一端と前記第１の端末側コイルの一端を電気的に接続するとともに前記内側コイルの他端と前記第１の端末側コイルの他端を電気的に接続する第１の接続コードと、前記外側コイルの一端と前記第２の端末側コイルの一端を電気的に接続するとともに前記外側コイルの他端と前記第２の端末側コイルの他端を電気的に接続する第２の接続コードを有していることを特徴とする。
【０００７】
請求項３に係る発明は、請求項１又は２に記載のブースターアンテナにおいて、前記内側コイルに外接する円の直径は前記外側コイルにおける長辺間の距離の６２％以上１５０％以内であることを特徴とする。
【０００８】
請求項４に係る発明は、請求項１ないし３のいずれかに記載のブースターアンテナにおいて、前記内側コイル及び前記外側コイルを収納する直方体形状のケース体と、前記端末側コイルを収納する直方体形状のカード体とを有することを特徴とする。
【０００９】
請求項５に係る発明は、請求項４に記載のブースターアンテナにおいて、前記ケース体の底面側及び前記カード体の下面側のいずれか一方にシート状の電磁シールド体が設けてあることを特徴とする。
【００１０】
請求項６に係る発明の携帯端末スタンドは、請求項１ないし５のいずれかに記載のブースターアンテナと、携帯端末を保持する部分及び前記携帯端末を保持させた時、前記携帯端末の非接触型通信部（情報読み取り用のアンテナ）と近接する箇所に前記端末側コイルを保持する部分とを有する保持スタンドを備えることを特徴とする。
【００１１】
請求項７に係る発明の携帯端末スタンドは、請求項１ないし４のいずれかに記載のブースターアンテナと、携帯端末を保持する部分及び前記携帯端末を保持させた時、前記携帯端末の非接触型通信部（情報読み取り用のアンテナ）と近接する箇所に前記端末側コイルを保持する部分とを有する保持スタンドを備え、該保持スタンドの前記端末側コイルを保持する部分の一部又は全部に、シート状の電磁シールド体が設けてあることを特徴とする。
【発明の効果】
【００１２】
請求項１に係る発明のブースターアンテナによれば、円形、楕円形又は多角形状にｍ回（ｍは自然数）巻回した内側コイルと、内側コイルの外側を囲むとともに平行四辺形状にｎ回（ｎは自然数）巻回した外側コイルと、円形、楕円形又は多角形状にｍ＋ｎ回巻回した端末側コイルを備え、内側コイルの一端と外側コイルの一端は電気的に接続され、内側コイルの他端と端末側コイルの一端を電気的に接続するとともに、外側コイルの他端と端末側コイルの他端を電気的に接続する接続コードを有しているので、ＩＣカード等の大きさや形態がどのようなものであっても、ＩＣカード等を外側コイルの内側の適宜の場所に近接させるだけで、内側コイル又は外側コイル、接続コード及び端末側コイルを介して、ＩＣカード等と端末側コイルの近傍に配置した読み取り装置又は読み取り機能を備えた携帯端末とが良好に結合され、ＩＣカード等の情報を確実に読み取ることができる。
【００１３】
請求項２に係る発明のブースターアンテナによれば、円形、楕円形又は多角形状にｍ回（ｍは自然数）巻回した内側コイルと、内側コイルの外側を囲むとともに平行四辺形状にｎ回（ｎは自然数）巻回した外側コイルと、円形、楕円形又は多角形状にｍ回巻回した第１の端末側コイルと、円形、楕円形又は多角形状にｎ回巻回した第２の端末側コイルを備え、内側コイルの一端と第１の端末側コイルの一端を電気的に接続するとともに内側コイルの他端と第１の端末側コイルの他端を電気的に接続する第１の接続コードと、外側コイルの一端と第２の端末側コイルの一端を電気的に接続するとともに外側コイルの他端と第２の端末側コイルの他端を電気的に接続する第２の接続コードを有しているので、ＩＣカード等の大きさや形態がどのようなものであっても、ＩＣカード等を外側コイルの内側の適宜の場所に近接させるだけで、内側コイル、第１の接続コード及び第１の端末側コイルを介して、又は外側コイル、第２の接続コード及び第２の端末側コイルを介して、ＩＣカード等と第１及び第２の端末側コイルの近傍に配置した読み取り装置又は読み取り機能を備えた携帯端末とが良好に結合され、ＩＣカード等の情報を確実に読み取ることができる。
【００１４】
請求項３に係る発明のブースターアンテナによれば、請求項１又は２に係る発明による効果に加え、内側コイルに外接する円の直径は外側コイルにおける長辺間の距離の６２％以上１５０％以内となっているので、内側コイルを介したＩＣカード等と読み取り装置又は読み取り機能を備えた携帯端末との結合がより良好になり、ＩＣカード等の情報の読み取りがより確実になる。
【００１５】
請求項４に係る発明のブースターアンテナによれば、請求項１ないし３のいずれかに係る発明による効果に加え、内側コイル及び外側コイルを収納する直方体形状のケース体と、端末側コイルを収納する直方体形状のカード体とを有しているので、ＩＣカード等をケース体の中央に置き、カード体を読み取り装置又は読み取り機能を備えた携帯端末に近接させるだけでＩＣカード等と読み取り装置又は携帯端末とを良好に結合させることができる。
【００１６】
請求項５に係る発明のブースターアンテナによれば、請求項４に係る発明による効果に加え、ケース体の底面側及びカード体の下面側のいずれか一方にシート状の電磁シールド体が設けてあるので、透磁率の高い材料（鉄等）の隙間に配置してあるＩＣタグを良好に読み取ることができる。
【００１７】
請求項６に係る発明の携帯端末スタンドによれば、請求項１ないし５のいずれかに記載のブースターアンテナと、携帯端末を保持する部分及び携帯端末を保持させた時、携帯端末の非接触型通信部と近接する箇所に端末側コイルを保持する部分を有する保持スタンドを備えているので、携帯端末によってＩＣカード等の情報を読み取るに際して、端末側コイルを保持スタンドの指定位置にセットしておき、携帯端末を保持スタンドの所定位置に保持させるとともに、ＩＣカード等を外側コイルの内側の適宜の場所に近接させるだけで、ＩＣカード等と携帯端末とが良好に結合され、ＩＣカード等の情報を確実かつ容易に読み取ることができる。
【００１８】
請求項７に係る発明の携帯端末スタンドによれば、請求項１ないし４のいずれかに記載のブースターアンテナと、携帯端末を保持する部分及び携帯端末を保持させた時、携帯端末の非接触型通信部と近接する箇所に端末側コイルを保持する部分を有する保持スタンドを備えているので、携帯端末によってＩＣカード等の情報を読み取るに際して、端末側コイルを保持スタンドの指定位置にセットしておき、携帯端末を保持スタンドの所定位置に保持させるとともに、ＩＣカード等を外側コイルの内側の適宜の場所に近接させるだけで、ＩＣカード等と携帯端末とが良好に結合され、ＩＣカード等の情報を確実かつ容易に読み取ることができ、また、保持スタンドの端末側コイルを保持する部分の一部又は全部に、シート状の電磁シールド体が設けてあるので、携帯端末スタンドが透磁率の高い材料の上に載置されている場合においても、携帯端末によってＩＣカード等の情報を良好に読み取ることができる。
【図面の簡単な説明】
【００１９】
【図１】実施例１に係るブースターアンテナの構造を示す図。
【図２】実施例２に係るブースターアンテナの構造を示す図。
【図３】本発明のブースターアンテナを一般に販売、提供する際の形態を示す図。
【図４】実施例３に係る携帯端末スタンドの斜視図。
【図５】実施例４に係る携帯端末スタンドの斜視図。
【図６】変形例（６）に係るブースターアンテナの構造を示す図。
【図７】変形例（６）に係るブースターアンテナの構造を示す図。
【発明を実施するための形態】
【００２０】
以下、実施例によって本発明の実施形態を説明する。
【実施例１】
【００２１】
実施例１のブースターアンテナは、図１に示すように、円形状に２回巻回した内側コイル１と、内側コイル１の外側を囲むとともに長方形状に２回巻回した外側コイル２と、円形状に４回巻回した端末側コイル３を備え、内側コイルの一端４と外側コイルの一端５は電気的に接続され、内側コイルの他端６と端末側コイルの一端７及び外側コイルの他端８と端末側コイルの他端９を電気的に接続する接続コード１０を有している。
なお、ここでは内側コイル１及び外側コイル２を２回巻回したもの、端末側コイルを４回巻回したものとしたが、様々な巻数のコイルについてテストした結果、内側コイル１及び外側コイル２については３〜８回巻回したもの、端末側コイルについてはその倍数回巻回したものが最も良好に機能し、原理的には内側コイル１についてはｍ回（ｍは自然数）外側コイル２についてはｎ回（ｎは自然数）、端末側コイル３についてはｍ＋ｎ回巻回したものであれば良い。
【００２２】
内側コイル１の直径は３０ｍｍ、外側コイル２の短辺及び長辺の長さはそれぞれ３２ｍｍ及び７０ｍｍ、端末側コイル３の直径は３０ｍｍである。
なお、これらの寸法についても様々なものについてテストした結果、内側コイル１の直径については２５〜３５ｍｍ、短辺については２５〜４０ｍｍ（ただし、内側コイル１の直径より大）、長辺については６５〜７５ｍｍ、端末側コイル３の直径については３０〜５０ｍｍであれば良好に機能した。
ただし、内側コイル１の直径及び外側コイル２の短辺及び長辺の長さについては、現在流通しているＩＣカードやＲＦＩＤタグの大きさを考慮して設定されたものであるので、将来ＩＣカード等の標準的な大きさが変わった場合にはブースターアンテナが良好に機能する寸法の範囲も変わることになる。
【００２３】
また、原理的には内側コイル１の寸法は大きいＲＦＩＤタグのアンテナコイルの寸法より少し大きい程度が良く、外側コイル２の寸法は広く普及しているＩＣカードのアンテナコイルの寸法より少し大きい程度が良いものと考えられる。
そして、上記のテスト結果からみて、現状においては外側コイル２の短辺の長さに対する内側コイル１の直径は、短辺の最大長さ４０ｍｍを基準として考えれば２５／４０以上すなわち６２％以上が良く、実施例１の内側コイル１の直径からみて３０／４０以上すなわち７５％以上であればより良いことが分かる。
さらに、実施例１の短辺の長さ３２ｍｍを基準として考えれば２５／３２以上すなわち７８％以上が良く、実施例１の内側コイル１の直径からみて３０／３２以上すなわち９３％以上であればより良いということになる。
【実施例２】
【００２４】
実施例２のブースターアンテナは、図２に示すように、円形状に２回巻回した内側コイル１１と、内側コイル１１の外側を囲むとともに長方形状に２回巻回した外側コイル１２と、円形状に２回巻回した第１の端末側コイル１３と、円形状に２回巻回した第２の端末側コイル１４を備え、内側コイルの一端１５と第１の端末側コイルの一端１６を電気的に接続するとともに内側コイルの他端１７と第１の端末側コイルの他端１８を電気的に接続する第１の接続コード１９と、外側コイルの一端２０と第２の端末側コイルの一端２１を電気的に接続するとともに外側コイルの他端２２と第２の端末側コイルの他端２３を電気的に接続する第２の接続コード２４を有している。
なお、ここでは内側コイル１及び外側コイル２を２回巻回したもの、端末側コイルを４回巻回したものとしたが、実施例１と同様、様々な巻数のコイルについてテストした結果、内側コイル１１及び外側コイル１２については３〜８回巻回したもの、第１の端末側コイル１３及び第２の端末側コイル１４については、それぞれ内側コイル１１及び外側コイル１２と同じ回数巻回したものが最も良好に機能し、原理的には内側コイル１１及び第１の端末側コイル１３についてはｍ回（ｍは自然数）、外側コイル１２及び第２の端末側コイル１４についてはｎ回（ｎは自然数）巻回したものであれば良い。
【００２５】
内側コイル１１の直径、外側コイル１２の短辺及び長辺の長さ並びに端末側コイル３の直径は、実施例１と同様、それぞれ３０ｍｍ、３２ｍｍ及び７０ｍｍ、並びに３０ｍｍであるが、様々な巻数のコイルについてテストした結果、それぞれ２５〜３５ｍｍ、２５〜４０ｍｍ（ただし、内側コイル１１の直径より大）及び６５〜７５ｍｍ、並びに３０〜５０ｍｍであれば良好に機能した。
ただし、実施例１で説明したとおり、将来ＩＣカード等の標準的な大きさが変わった場合にはブースターアンテナが良好に機能する寸法の範囲も変わることになり、原理的には内側コイル１１の寸法は大きいＲＦＩＤタグのアンテナコイルの寸法より少し大きい程度が良く、外側コイル１２の寸法は広く普及しているＩＣカードのアンテナコイルの寸法より少し大きい程度が良いものと考えられる。
そして、上記のテスト結果からみて、現状においては実施例１と同様、外側コイル１２の短辺の長さに対する内側コイル１１の直径は６２％以上が良く、７５％以上であればより良いことが分かり、短辺の長さ３２ｍｍを基準とした場合、７８％以上が良く、９３％以上であればより良いということになる。
【００２６】
図３は、実施例１又は２のブースターアンテナを一般に販売、提供する際の形態を示す図であり、実施例１の内側コイル１及び外側コイル２又は実施例２の内側コイル１１及び外側コイル１２は、直方体形状のケース体２５に収納され、実施例１の端末側コイル３又は実施例２の第１の端末側コイル１３及び第２の端末側コイル１４は、直方体形状のカード体２６に収納され、実施例１の接続コード１０又は実施例２の第１の接続コード１９及び第２の接続コード２４の各接続線は、接続体２７にそれぞれ絶縁状態で収容されている。
【００２７】
直方体形状のケース体２５は、底面の中央部に実施例１の内側コイル１又は実施例２の内側コイル１１がケース体内部で動かないように固定するための２つ以上の突起又は環状突出部を有するとともに、底面の周囲に実施例１の外側コイル２又は実施例２の外側コイル１２がケース体内部で動かないように固定するための２つ以上の突起又は環状の突出部を有する箱体と、その箱体の上面を覆う蓋体からなっている。
蓋体はネジ等を用いて箱体に着脱自在に設けても良いし、接着剤等を用いて箱体から外せないように設けても良い。
材質は通常は樹脂製であるが、木製、セラミック製、紙製等、透磁率の低い材質であれば適宜選択し得る。
サイズは短辺が７０ｍｍ、長辺が１４０ｍｍであるが、外側コイル２又は１２を内部に収納できる大きさであればどのような大きさでも良い。
また、蓋体の上面にはＩＣカード等をセットするに適した位置を示す案内表示を施す。例えば広く普及しているＩＣカードに対しては、そのＩＣカードとほぼ同形状の囲み線を中央部に表示し、ＲＦＩＤタグ等小型のＩＣタグに対しては、内側コイル１又は１１が配置されている箇所の中心に近い位置に適宜の図形やキャラクターを表示すると良い。
さらに、これらの表示に加えて又はこれらの表示に代えて、案内用の文字や点字表記を施しても良い。
【００２８】
直方体形状のカード体２６は、中央部に実施例１の端末側コイル３又は実施例２の第１の端末側コイル１３及び第２の端末側コイル１４を収容する凹部を設けた収容体と凹部を覆う覆い体からなっている。
覆い体はネジ等を用いて収容体に着脱自在に固定しても良いし、接着剤等を用いて収容体から外せないように固定しても良い。
材質は通常は樹脂製であるが、木製、セラミック製、紙製等、透磁率の低い材質であれば適宜選択し得る。
サイズは短辺が５４ｍｍ、長辺が８５ｍｍ（広く普及しているＩＣカードの大きさ）であるが、端末側コイル３又は第１の端末側コイル１３及び第２の端末側コイル１４を内部に収納できる大きさであればどのような大きさでも良い。
また、覆い体の上面には格別な案内表示を施す必要はないが、カード体２６を携帯端末に近接させて利用する際の利便性向上のため、携帯端末の種類や機種別に情報読み取り用のアンテナ位置が分かるように、図表や文字等による案内表示を設けるとより良い。
【００２９】
接続体２７は、実施例１の場合は一般的な二芯線、実施例２の場合は一般的な四芯線を用いるのが通常であるが、実施例２の場合二芯線を２本用いても良い。
また、一般的な二芯線に代えて２本の電線を撚り合わせたツイストペアケーブルを用いると読み取りの精度がより向上する。
【実施例３】
【００３０】
実施例３の携帯端末スタンドは、実施例１における端末側コイル３又は実施例２における第１の端末側コイル１３及び第２の端末側コイル１４を携帯端末の情報読み取り用のアンテナに近接させ、ＩＣカード等を内側コイル１、１１及び外側コイル２、１２に近接させて携帯端末でＩＣカード等の情報を読み取るように利用するに際して、格別な知識がなくても確実かつ容易に情報を読み取ることができるようにするためのものである。
【００３１】
実施例３の携帯端末スタンドは、図４に示すように、携帯端末より若干大きいサイズの平板２８と、平板２８の下端部から上方に突き出している突出部２９と、平板２８の上端部から下方に延びている表示板３０と、平板２８のほぼ中央部に図３に示したカード体２６を受け入れる凹部３１からなる保持スタンドを主要な構成部材とし、この保持スタンドに実施例１又は２のブースターアンテナをセットしてなるものである。
【００３２】
平板２８の上面と突出部２９は携帯端末を保持する部分となっており、凹部３１は、携帯端末を平板２８の上面と重なるように保持させた時、携帯端末が有している情報読み取り用のアンテナと対向する位置に形成されている。
したがって、カード体２６をこの凹部３１に保持させれば、情報読み取り用のアンテナと実施例１における端末側コイル３又は実施例２における第１の端末側コイル１３及び第２の端末側コイル１４が対向して配置されることとなるので、ＩＣカード等をケース体２５の適当な位置にセットすれば、ＩＣカード等と携帯端末とが良好に結合され、ＩＣカード等の情報を確実かつ容易に情報を読み取ることができる。
【００３３】
実施例３は情報読み取り用のアンテナの位置が同じ携帯端末（通常は同じ機種の携帯端末）を保持スタンドに保持させることを前提として構成されており、情報読み取り用のアンテナの位置が異なる携帯端末に対しては、凹部３１の位置が異なる保持スタンドを用意することとなる。
そうした場合、利用する携帯端末が統一されていないと、多数の保持スタンドを用意しなければならなくなるため、情報読み取り用のアンテナの位置が異なる携帯端末に対応できるように、平板２８の上面に凹部を設けず、平板２８の上面にカード体２６の短辺より少し大きい幅の切り欠き部を設けた板状体を用いるようにしても良い。
すなわち、切り欠き部の位置が異なる複数種類の板状体を用意しておくとともに、保持させる携帯端末に応じた板状体を選択して平板２８の上面に載置又は固定し、カード体２６を平板２８の上面と切り欠き部で形成される凹部に保持させれば、保持スタンドの本体部はそのままで様々な機種の携帯端末に対応することができる。
また、切り欠き部を設けた板状体に代え、カード体２６の短辺より少し大きい間隔を隔てて２枚の板状体を平板２８の上面に固定するようにしても良い。
【実施例４】
【００３４】
実施例４の携帯端末スタンドは、図５に示すように、透孔部３２を有する平板からなる前面板３３と、前面板３３と概ね平行に設けられた平板からなる後面板３４と、前面板３３及び後面板３４を載置面に対して垂直に保持する台座部３５を基本構成としている。
そして、携帯端末３６を前面板３３と後面板３４との間に挿入して保持させることができ、保持状態において携帯端末３６の表示画面が透孔部３２を通して視認でき、必要に応じて表示画面をタッチして入力操作を行うことができるようになっている。
【００３５】
実施例４の携帯端末スタンドの後面板３４の前側には、図５に示すように、カード体２６を後面板３４と携帯端末３６の間の所定位置に挿入できるようにするための切り欠き部３７を上側に設けた板状体３８が接着されている。
切り欠き部３７は、カード体２６より少し大きい幅の長方形状であり、カード体２６を挿入した時、カード体２６内部の端末側コイル３又は第１の端末側コイル１３及び第２の端末側コイル１４と情報読み取り用のアンテナが対向する位置となる箇所に設けてある。
したがって、カード体２６を切り欠き部３７に挿入すれば、情報読み取り用のアンテナと実施例１における端末側コイル３又は実施例２における第１の端末側コイル１３及び第２の端末側コイル１４が対向して配置されることとなるので、実施例３と同様にＩＣカード等をケース体２５の適当な位置にセットすれば、ＩＣカード等と携帯端末とが良好に結合され、ＩＣカード等の情報を確実かつ容易に情報を読み取ることができる。
なお、切り欠き部３７を設けるに際しては、切り欠き部のない板状体からカッター等を用いて切り取る方法、板状体の上側から下側に向かって予めカード体２６の幅の２分の１〜５分の１程度の間隔で複数の切れ込みを設けるとともに板状体の下側に溝を切っておき、その溝を用いて適当な位置にある２つの切れ込みの間にある短冊状の部分を折り取る方法等が採用可能である。
また、板状体３８は、その下端部に突出部３９が形成されＬ字状となっており、その突出部３９は携帯端末３６の最大厚さ以上の長さとなっている。
【００３６】
さらに、図示してはいないが、Ｌ字状の突出部３９の適宜位置には穴又は切り欠きが設けられるとともに、台座部３５の底面又は側面の適宜位置にも穴が設けられており、携帯端末３６に固定されたワイヤがこれらの穴を通過できるようになっている。
そうしてあることによって、ワイヤの一端を携帯端末スタンドの載置面自体又は載置面近傍に設けてある突起や穴に固定することで、携帯端末及び携帯端末スタンドを容易には持ち去ることができないようにすることができる。
【００３７】
実施例１、２のブースターアンテナ、図３に示すブースターアンテナを一般に販売、提供する際の形態及び実施例３、４の携帯端末スタンドに関する変形例を列記する。
（１）実施例１〜４においては、読み取り装置又は携帯端末によって、ＩＣカード等からＩＤ情報やコード情報等を読み取ることを前提として説明したが、本発明のブースターアンテナは、ＩＣカード等に各種の情報を書き込む場合にも利用することができる。
（２）実施例１及び２においては、電線を巻回したコイルを前提として説明したが、基板上に導電バターンをプリントしてコイルを形成しても良い。
【００３８】
（３）実施例１及び２においては、内側コイル１、１１、端末側コイル３、第１の端末側コイル１３及び第２の端末側コイル１４を円形状のものとし、外側コイル２、１２を長方形状のものとした。
しかし、内側コイル１、１１等については、ＲＦＩＤタグ等のアンテナコイルより少し大きいものであれば、円形状に限らず楕円形状や多角形状であっても良い。  また、外側コイル２、１２については、ＩＣカードのアンテナコイルより少し大きいものであれば、長方形状に限らず適宜の四角形状（通常は平行四辺形状）であっても良い。
そして、内側コイルが楕円形状や多角形状の場合、実施例１、２における内側コイル１、１１の直径は内側コイルに外接する円の直径に置き換え、外側コイルが平行四辺形状の場合、実施例１、２における外側コイル２、１２の短辺の長さは外側コイルにおける長辺間の距離に置き換えれば良い。
なお、内側コイルが実施例１、２のように円形状の場合、内側コイルは長方形（平行四辺形状）の外側コイルに囲まれていることから、内側コイルの直径の上限は外側コイルの短辺の長さ（外側コイルにおける長辺間の距離）の１００％となるが、内側コイルを楕円形状や多角形状とした場合、内側コイルに外接する円の直径は必ずしも外側コイルにおける長辺間の距離より小さくなくても良い。
そうした場合における内側コイルに外接する円の直径の上限については、実施例１で説明した外側コイル１２の短辺の最大長さが４０ｍｍ、同長辺の最小長さが６５ｍｍであることから、外側コイルの短辺の長さ（外側コイルにおける長辺間の距離）の１６２％以内であれば良いが、現実的には１５０％以内であり、１２５％以内とするのが好ましい。
（４）実施例１及び２においては、内側コイル１、１１の中心と外側コイル２、１２の中心（２つの対角線の交点）は一致しているが、内側コイル１、１１は外側コイル２、１２の内側の範囲内であればどこに配置しても良い。
ただし、内側コイル１、１１を大きくずらして配置した場合には、ブースターアンテナを一般に販売、提供する際の形態において、内側コイル１又は１１が配置されている箇所の中心に近い位置に表示する適宜の図形、キャラクター、文字又は点字は、利用者が小型のＩＣタグを配置できるように分かり易いものにした方が良い。
【００３９】
（５）図３に示すブースターアンテナを一般に販売、提供する際の形態の説明においては、箱体の底面に内側コイル１及び外側コイル２又は内側コイル１１及び外側コイル１２がケース体内部で動かないように固定するための突起や環状突出部を設けることとし、収容体の中央部に端末側コイル３又は第１の端末側コイル１３及び第２の端末側コイル１４を収容する凹部を設けることとしたが、箱体に内側コイル１及び外側コイル２又は内側コイル１１及び外側コイル１２を収容する凹部を設けても良く、収容体に端末側コイル３又は第１の端末側コイル１３及び第２の端末側コイル１４を固定するための突起や環状突出部を設けても良い。
さらに、突起、環状突出部又は凹部を用いることなく、接着剤、粘着テープ、ネジや両面粘着テープを有する固定具等、適宜の部材を用いて、これらのコイルを箱体や収容体に固定しても良い。
（６）図３に示すブースターアンテナのケース体２５は、箱体の底面に内側コイル及び外側コイルを固定し、その箱体の上面を蓋体で覆うものであり、カード体２６は、収容体の中央部に端末側コイルを収容し、収容体の上面を覆い体で覆うものとなっているが、図６に示すように、ケース体２５の底面側に、固定されている外側コイルの全体をカバーするシート状の電磁シールド体３９を設けても良い。
なお、図６では箱体の底面の外側に電磁シールド体３９を設けているが、箱体の底面の内側（箱体の底面と内側コイル及び外側コイルとの間）に設けても良い。
また、図７に示すように、カード体２６の下面側に、収容されている端末側コイルの全体をカバーするシート状の電磁シールド体４０を設けても良い。
さらに、図７では収容体の下面の外側のほぼ全面に電磁シールド体４０を設けているが、収容体の下面の内側（収容体の下面と端末側コイルとの間）に設けても良く、カード体２６を図４に示す携帯端末スタンドの凹部３１に保持させて用いる場合には、カード体２６の先端側だけ（先端から４分の１〜２分の１程度だけ）に設けても良い。
【００４０】
（７）実施例３の携帯端末スタンドではカード体２６を凹部３１に保持させ、実施例４の携帯端末スタンドでは切り欠き部３７に挿入したが、カード体２６に代えてＩＣカードを凹部３１に保持させ、又は切り欠き部３７に挿入することで、ＩＣカードから直接情報を読み取るようにすることも可能である。
（８）実施例３の携帯端末スタンドでは平板２８の上面と突出部２９を用いて携帯端末を保持する構造となっているため、何時でも携帯端末を保持スタンドから外すことが可能であり、電話がかかってきた時等には便利であるが、反面携帯端末や携帯端末スタンドを持ち去られ易いという面もある。
そこで、実施例４で説明したと同様に、平板２８又は突出部２９の適宜位置に穴を設け、携帯端末に固定されたワイヤをこの穴に通過させた上で、ワイヤの一端を携帯端末スタンドの載置面自体又は載置面近傍に設けてある突起や穴に固定することで、携帯端末及び携帯端末スタンドを容易には持ち去ることができないようにしても良い。
（９）実施例３の携帯端末スタンドでは平板２８に凹部３１が固定的に設けられ、また平板２８に凹部３１を設けず、切り欠き部の位置が異なる複数種類の板状体や２枚の板状体を平板２８の上面に載置又は固定しても良いこととしたが、実施例４のように切り欠き部のない板状体からカッター等を用いて切り取る方法、板状体の上側から下側に向かって複数の切れ込みを設けるとともに板状体の下側に溝を切っておき、その溝を用いて適当な位置にある２つの切れ込みの間にある短冊状の部分を折り取る方法等によって切り欠き部を形成して平板２８に載置又は固定しても良い。
【００４１】
（１０）実施例３の携帯端末スタンドでは平板２８の上面に凹部３１を設け、又は板状体を平板２８の上面に載置又は固定し、実施例４の携帯端末スタンドでは後面板３４の前側に板状体３８を接着したが、実施例３においては平板２８の下面にカード体２６又は端末側コイルを保持する部分を設けても良く、実施例４においては後面板３４の後ろ側にカード体２６又は端末側コイルを保持する部分を設けても良い。
カード体２６又は端末側コイルを保持する部分としては、平板２８の上面側下面側を問わず、また後面板３４の前側後ろ側を問わず、上側又は横側に挿入口を有するコの字状又はロの字状の箱体、弾性力でカード体２６又は端末側コイルを挟んで保持するクリップ状やＬ字状の挟持体、カード体２６又は端末側コイルを嵌め込んで固定する凹部又は突起、カード体２６又は端末側コイルを引っ掛けて固定するフック、突起又は環状の突出部が挙げられる。
なお、カード体２６を引っ掛けて固定する場合、カード体２６にフックや突起を受け入れる穴又はスリット穴を設ける必要がある。
（１１）実施例３の携帯端末スタンドでは平板２８の上面に凹部３１を設けてあるだけであったが、凹部３１の全面又は下側だけ（下端から４分の１〜２分の１程度だけ）に電磁シールド体を設けて、携帯端末スタンドが透磁率の高い材料の上に載置されている場合に、透磁率の高い材料の影響を受けないようにするとより良い。
【００４２】
（１２）実施例４の前面板３３は、透孔部３２を有しているが、透孔部３２に代えて透明部や切り欠き部としても良い。
なお、透明部とした場合であって、携帯端末３６の表示画面をタッチして入力操作を行う必要がある場合には、少なくともタッチが必要な領域における透明部は、入力操作を妨げない適宜材質の薄い透明シートとする。
（１３）実施例４の透孔部３２は、携帯端末３６の表示画面と同等の大きさとなっているが、ＩＣカード等からＩＤ情報やコード情報等を携帯端末３６に入力するに際して必要な表示が見える部分及び表示画面をタッチして入力操作を行う必要がある場合にタッチが必要な部分のみに透孔部を設ければ良い。
そうすることによって、誤操作を防止することが可能となる。
【００４３】
（１４）実施例４の後面板３４は、透孔部や切り欠き部を有していないが、カード体２６を挿入した時にカード体２６を定位置に保持できれば、適宜透孔部や切り欠き部を設けても良い。
（１５）実施例４の台座部３５は前面板３３及び後面板３４を載置面に対して垂直に保持するようになっているが、載置面に対して適宜の角度をもって保持するようにしても良いし、載置面に対する角度を変更できるように揺動機構を設けても良い。
（１６）実施例４の後面板３４の前側には、カード体２６より少し大きい幅の切り欠き部８を上側に設けた板状体３８が接着されているが、切り欠き部８は横側に設けてカード体２６を横から挿入できるようにしても良い。
また、カード体２６の幅より少し大きい間隔を隔てて２枚の板状体を後面板３４の前側に接着しても良い。そして、２枚の板状体を左右に並べて接着した場合、突出部９の適宜位置に設けてある穴又は切り欠きは、必ずしも必要なくなる。
【００４４】
（１７）実施例４の後面板３４の前側には板状体３８が接着されているが、接着に代えて溶着しても良く、後面板３４の前側と板状体３８の後ろ側に面ファスナー等の固定手段を設けて固定しても良い。
また、周囲を粘着テープやクリップ等で固定したり、後面板３４の後ろ側からネジ等によって固定したりしても良い。
なお、実施例３において板状体を平板２８の上面に固定する場合も同様である。
（１８）実施例４の板状体３８は、その下端部に突出部３９が形成されＬ字状となっているが、突出部３９はなくても良い。
（１９）実施例４及び上記変形例（９）及び（１２）〜（１５）においては、板状体や保持部を後面板３４に設けているが、板状体や保持部が透明であったり、板状体や保持部を設ける位置がＩＤ情報やコード情報等を携帯端末３６に入力するに際して必要な表示がされる領域から外れていたりする場合には、板状体や保持部を前面板３３に設けても良い。
なお、カード体２６を保持している時に必要な表示が見えなくなったとしても、ＩＤ情報等が携帯端末３６に入力された後にカード体２６を外せば良いので、格別問題は生じない。
【符号の説明】
【００４５】
１  内側コイル      ２  外側コイル      ３  端末側コイル
４  内側コイルの一端      ５  外側コイルの一端
６  内側コイルの他端      ７  端末側コイルの一端
８  外側コイルの他端      ９  端末側コイルの他端
１０  接続コード      １１  内側コイル      １２  外側コイル
１３  第１の端末側コイル      １４  第２の端末側コイル
１５  内側コイルの一端      １６  第１の端末側コイルの一端
１７  内側コイルの他端      １８  第１の端末側コイルの他端
１９  第１の接続コード      ２０  外側コイルの一端
２１  第２の端末側コイルの一端      ２２  外側コイルの他端
２３  第２の端末側コイルの他端      ２４  第２の接続コード
２５  ケース体      ２６  カード体      ２７  接続体
２８  平板      ２９  突出部      ３０  表示板      ３１  凹部
３２  透孔部      ３３  前面板      ３４  後面板      ３５  台座部
３６  携帯端末      ３７  切り欠き部      ３８  板状体
３９、４０  電磁シールド体
【図１】
2018064180.tif 000003
【図２】
2018064180.tif 000004
【図３】
2018064180.tif 000005
【図４】
2018064180.tif 000006
【図５】
2018064180.tif 000007
【図６】
2018064180.tif 000008
【図７】
2018064180.tif 000009